【事件の表示】
　特許第６６６７８６２号発明「プログラム及び情報処理装置」の特許異議申立事件について、次のとおり決定する。
【結　論】
　特許第６６６７８６２号の請求項１，３，５，６及び８に係る特許を維持する。
【理　由】
１　手続の経緯
　特許第６６６７８６２号の請求項１，３，５，６及び８に係る特許についての出願は，令和元年７月１８日に出願され，令和２年２月２８日にその特許権の設定登録がされ，令和２年３月１８日に特許掲載公報が発行された。その後，その特許に対し，令和２年９月１８日に特許異議申立人遠藤眞理子（以下，「異議申立人」という。）は，特許異議の申立てを行った。
２　本件発明
　特許第６６６７８６２号の請求項１，３，５，６及び８の特許に係る発明（以下，それぞれ「本件発明１」，…，「本件発明８」という。）は，それぞれ，その特許請求の範囲の請求項１，３，５，６及び８に記載された事項により特定される次のとおりのものである。
「【請求項１】
　ユーザの端末装置と通信可能なコンピュータを，
　ユーザの出発地情報及びユーザのスケジュールを記憶する記憶手段，
　前記端末装置に表示されるウェブページの旅行に関する広告に対してユーザの操作があった場合に，当該ユーザの出発地情報及びスケジュールを前記記憶手段から取得するとともに，当該広告に紐づけられている目的地情報を，前記記憶手段，前記端末装置又は前記ウェブページを管理するサーバ装置から取得する取得手段，
　前記取得手段が取得したスケジュールに基づき，出発日時を決定し，決定した出発日時に基づき，前記取得手段が取得した出発地情報が示す出発地から前記取得手段が取得した目的地情報が示す目的地までの移動経路を検索する検索手段，
　前記検索手段の検索結果を前記端末装置に出力して前記旅行を実現可能な移動経路を前記ユーザに提案する提案手段，
　として機能させるためのプログラム。
【請求項３】
　ユーザの端末装置と通信可能なコンピュータを，
　ユーザの出発地情報，及び交通に関するユーザの嗜好情報を記憶する記憶手段，
　前記端末装置に表示されるウェブページの旅行に関する広告に対してユーザの操作があった場合に，当該ユーザの出発地情報及び嗜好情報を前記記憶手段から取得するとともに，当該広告に紐づけられている目的地情報を，前記記憶手段，前記端末装置又は前記ウェブページを管理するサーバ装置から取得する取得手段，
　前記取得手段が取得した出発地情報が示す出発地から前記取得手段が取得した目的地情報が示す目的地までの移動経路を検索する検索手段，
　前記検索手段の検索結果が複数の場合，前記取得手段が取得した嗜好情報に基づき，前記複数の検索結果の中から検索結果を抽出し，抽出した検索結果を前記端末装置に出力して前記旅行を実現可能な移動経路を前記ユーザに提案する提案手段，
　として機能させるためのプログラム。
【請求項５】
　ユーザの端末装置と通信可能なコンピュータを，
　ユーザの出発地情報を記憶する記憶手段，
　前記端末装置に表示されるウェブページの旅行に関する広告に対してユーザの操作があった場合に，当該ユーザの出発地情報を前記記憶手段から取得するとともに，当該広告に紐づけられている目的地情報及び経由地情報を，前記記憶手段，前記端末装置又は前記ウェブページを管理するサーバ装置から取得する取得手段，
　前記取得手段が取得した前記経由地情報に基づき，前記取得手段が取得した出発地情報が示す出発地から前記取得手段が取得した目的地情報が示す目的地までの移動経路を検索する検索手段，
　前記検索手段の検索結果を前記端末装置に出力して前記旅行を実現可能な移動経路を前記ユーザに提案する提案手段，
　として機能させるためのプログラム。
【請求項６】
　ユーザの端末装置と通信可能なコンピュータを，
　ユーザの出発地情報を記憶する記憶手段，
　前記端末装置に表示されるウェブページの旅行に関する広告に対してユーザの操作があった場合に，当該ユーザの出発地情報を前記記憶手段から取得するとともに，当該広告に紐づけられている目的地情報を，前記記憶手段，前記端末装置又は前記ウェブページを管理するサーバ装置から取得する取得手段，
　前記取得手段が取得した出発地情報が示す出発地から前記取得手段が取得した目的地情報が示す目的地までの移動経路を検索する検索手段，
前記検索手段の検索結果を前記端末装置に出力して前記旅行を実現可能な移動経路を前記ユーザに提案する提案手段，
　前記提案に対して前記ユーザからの承認が得られた場合，承認が得られた移動経路の料金を含む旅行代金を決済する決済手段，
前記決済手段の決済が完了した場合，前記承認が得られた移動経路をユーザの移動スケジュールとして前記記憶手段に記憶するスケジュール追加手段，
　として機能させるためのプログラム。
【請求項８】
　ユーザの端末装置と通信可能な情報処理装置であって，
　ユーザの出発地情報及びユーザのスケジュールを記憶する記憶手段と，
　前記端末装置に表示されるウェブページの旅行に関する広告に対してユーザの操作があった場合に，当該ユーザの出発地情報及びスケジュールを前記記憶手段から取得するとともに，当該広告に紐づけられている目的地情報を，前記記憶手段，前記端末装置又は前記ウェブページを管理するサーバ装置から取得する取得手段と，
　前記取得手段が取得したスケジュールに基づき，出発日時を決定し，決定した出発日時に基づき，前記取得手段が取得した出発地情報が示す出発地から前記取得手段が取得した目的地情報が示す目的地までの移動経路を検索する検索手段と，
　前記検索手段の検索結果を前記端末装置に出力して前記旅行を実現可能な移動経路を前記ユーザに提案する提案手段と，
　を備える情報処理装置。」
３　申立理由の概要
　異議申立人は，主たる証拠として特開２０１３−１５４８４号公報（甲第１号証）を提出し，請求項５に係る特許は，特許法２９条１項３号の規定に違反してされたものである（理由１），又は，特許法第２９条第２項の規定に違反してされたものである（理由２）から請求項５に係る特許を取り消すべきものであり，
　特許異議申立人は，上記主たる証拠並びに従たる証拠として特開２００２−１５７３０７号公報（甲第２号証）及び特開２０１２−１２８５３８号公報（甲第３号証）を提出し，請求項１及び８に係る特許は特許法第２９条第２項の規定に違反してされたものである（理由３）から，請求項１及び８に係る特許を取り消すべきものであり，
　特許異議申立人は，上記主たる証拠並びに従たる証拠として上記甲第２号証，上記甲第３号証及び特開２０１７−４１２４０号公報（甲第４号証）を提出し，請求項３に係る特許は特許法第２９条第２項の規定に違反してされたものである（理由４）から，請求項３に係る特許を取り消すべきものであり，
　さらに，特許異議申立人は，上記主たる証拠及び従たる証拠として上記甲第２号証を提出し，請求項６に係る特許は特許法第２９条第２項の規定に違反してされたものである（理由５）から，請求項６に係る特許を取り消すべきものであると主張する。
４　甲号証の記載
（１）甲第１号証
ア　甲第１号証の記載
　甲第１号証には，次のとおり，記載されている。
「【００１２】
　
本発明による旅行計画支援システムは，
事業会社のカーナビゲーションポータルサイトを構成する旅行計画支援サーバ１と，インターネット回線３を介し旅行計画ＤＢ２に記憶された旅行計画を閲覧できるクライアント端末を構成するパソコン端末５，６を備えている。
【００１３】（省略）
【００１４】
　
パソコン端末５は，管理者会員が使用するパソコン端末である。一方パソコン端末６は，管理者以外の閲覧者会員が使用するパソコン端末である。
【００１５】
　まず，ナビゲーションポータルサイトの旅行計画支援サーバ１を利用するために，
ユーザは会員登録をする。その会員登録時に，基準位置情報として，自宅の位置情報を含む自宅ＰＯＩ（Point of interest）を登録し，旅行計画支援サーバ１に保存することができる。
【００１６】
　ここで，旅行計画支援サーバ１とそれぞれのパソコン端末５，６の間では，次の手順で情報の授受が行われる。
【００１７】
　図２を参照して，旅行計画支援サーバ１とパソコン端末５，６との間における情報授受の手順を説明する。ステップ１で，
管理者会員は，パソコン端末５を用いて，事業会社のナビゲーションポータルサイトで提供される旅行計画ＤＢ２に保存された旅行計画やこの計画に修正を加えあるいはユーザ独自で旅行計画を作成し，旅行計画支援サーバ１のコミュニティサーバ領域１ｂにアップロードする。
集合場所等の経由地を通り目的地へ向かうルートとタイムスケジュールを併記した旅行計画
旅行計画支援サーバ１はアップロードされた旅行計画をコミュニティ領域１ｂに記憶する。
【００１８】
　ステップ２で，閲覧者会員は，パソコン端末６からポータルサイトにアクセスし，旅行計画支援サーバ１に旅行計画の表示を要求する。
【００１９】（省略）
【００２０】
　
ステップ６で，旅行計画支援サーバ１は，登録済みの自宅ＰＯＩ
を基準位置として読み込む。
【００２１】
　
ステップ８で，旅行計画支援サーバ１は，ステップ６で読み込んだ自宅ＰＯＩにより旅行計画の自宅を書き換える。ステップ９では，ステップ８で書き換えられた自宅を出発地として，そこから目的地までの経路探索を行うことにより，管理者会員のパソコン端末５からアップロードされた元の旅行計画とは別に新たな旅行計画を算出し，その算出結果を記憶する。このとき前述のように集合場所等の経由地が設定されている場合は，その経由地までの経路探索を行い，経由地から目的地までは元の旅行計画と同じにすればよい。ステップ１０では，閲覧者会員のパソコン端末６に対して，ステップ９で記憶した新たな旅行計画を送信する。
【００２２】
　
ステップ１１で，閲覧者会員のパソコン端末６は，ステップ１０で旅行計画支援サーバ１から送信された旅行計画を表示する。
【００２３】
　ステップ１２で，パソコン端末６は，ステップ１１で表示した旅行計画をＳＤカード等の可搬型のメモリ手段に保存する。これにより，旅行計画支援システムで会員同士が最終的に同意した旅行計画は，メモリ手段を介して各会員のカーナビゲーション装置や携帯端末へ移行され，旅行計画が実行されることとなる。もちろんこれら外部端末がインターネットに接続できる場合は，旅行計画支援サーバ１に直接アクセスして旅行計画を直接ダウンロードすることができる。」
イ　甲第１号証の記載から読み取れる事項
「【００１２】
　
本発明による旅行計画支援システムは，
事業会社のカーナビゲーションポータルサイトを構成する旅行計画支援サーバ１と，インターネット回線３を介し旅行計画ＤＢ２に記憶された旅行計画を閲覧できるクライアント端末を構成するパソコン端末５，６を備えている。
「【００１４】
　
パソコン端末５は，管理者会員が使用するパソコン端末である。一方パソコン端末６は，管理者以外の閲覧者会員が使用するパソコン端末である。
との記載から，「事業会社のカーナビゲーションポータルサイトを構成する旅行計画支援サーバ１と，インターネット回線３を介して接続される，管理者会員が使用するパソコン端末５，閲覧者会員が使用するパソコン端末６を備える旅行計画支援システム」が読み取れる。
「【００１５】
　…
ユーザは会員登録をする。その会員登録時に，基準位置情報として，自宅の位置情報を含む自宅ＰＯＩ（Point of interest）を登録し，旅行計画支援サーバ１に保存することができる。
との記載から，「ユーザは会員登録時に，自宅の位置情報を含む自宅ＰＯＩ（Point of interest）を登録し，旅行計画支援サーバ１に保存」することが読み取れる。
「【００１７】
　図２を参照して，旅行計画支援サーバ１とパソコン端末５，６との間における情報授受の手順を説明する。ステップ１で，
管理者会員は，パソコン端末５を用いて，事業会社のナビゲーションポータルサイトで提供される旅行計画ＤＢ２に保存された旅行計画やこの計画に修正を加えあるいはユーザ独自で旅行計画を作成し，旅行計画支援サーバ１のコミュニティサーバ領域１ｂにアップロードする。
集合場所等の経由地を通り目的地へ向かうルートとタイムスケジュールを併記した旅行計画
旅行計画支援サーバ１はアップロードされた旅行計画をコミュニティ領域１ｂに記憶する。
との記載から，「管理者会員は，パソコン端末５を用いて，集合場所等の経由地を通り目的地へ向かうルートとタイムスケジュールを併記した旅行計画を作成し，旅行計画支援サーバ１のコミュニティサーバ領域１ｂにアップロードし，旅行計画支援サーバ１はアップロードされた旅行計画をコミュニティ領域１ｂに記憶」することが読み取れる。
「【００１８】
　ステップ２で，閲覧者会員は，パソコン端末６からポータルサイトにアクセスし，旅行計画支援サーバ１に旅行計画の表示を要求する。
との記載から，「閲覧者会員は，パソコン端末６からポータルサイトにアクセスし，旅行計画支援サーバ１に旅行計画の表示を要求」することが読み取れる。
「【００２０】
　
ステップ６で，旅行計画支援サーバ１は，登録済みの自宅ＰＯＩ
を基準位置として読み込む。
「【００２１】
　
ステップ８で，旅行計画支援サーバ１は，ステップ６で読み込んだ自宅ＰＯＩにより旅行計画の自宅を書き換える。ステップ９では，ステップ８で書き換えられた自宅を出発地として，そこから目的地までの経路探索を行うことにより，管理者会員のパソコン端末５からアップロードされた元の旅行計画とは別に新たな旅行計画を算出し，その算出結果を記憶する。このとき前述のように集合場所等の経由地が設定されている場合は，その経由地までの経路探索を行い，経由地から目的地までは元の旅行計画と同じにすればよい。ステップ１０では，閲覧者会員のパソコン端末６に対して，ステップ９で記憶した新たな旅行計画を送信する。
との記載から，「旅行計画支援サーバ１は，登録済みの自宅ＰＯＩを基準位置として読み込み，自宅ＰＯＩにより旅行計画の自宅を書き換え，書き換えられた自宅を出発地として，そこから目的地までの経路探索を行うことにより，パソコン端末５からアップロードされた元の旅行計画とは別に新たな旅行計画を算出し，このとき集合場所等の経由地が設定されている場合は，その経由地までの経路探索を行い，経由地から目的地までは元の旅行計画と同じにし，パソコン端末６に対して，新たな旅行計画を送信」することが読み取れる。
「【００２２】
　
ステップ１１で，閲覧者会員のパソコン端末６は，ステップ１０で旅行計画支援サーバ１から送信された旅行計画を表示する。
との記載から，「パソコン端末６は，旅行計画支援サーバ１から送信された旅行計画を表示する」ことが読み取れる。
ウ　引用発明１
　上記イに示したところによれば，甲第１号証には，以下の発明（以下，「引用発明１」という。）が記載されていると認められる。
「　事業会社のカーナビゲーションポータルサイトを構成する旅行計画支援サーバ１と，インターネット回線３を介して接続される，管理者会員が使用するパソコン端末５，閲覧者会員が使用するパソコン端末６を備える旅行計画支援システムであって，
　ユーザは会員登録時に，自宅の位置情報を含む自宅ＰＯＩ（Point of interest）を登録し，旅行計画支援サーバ１に保存し，
　管理者会員は，パソコン端末５を用いて，集合場所等の経由地を通り目的地へ向かうルートとタイムスケジュールを併記した旅行計画を作成し，旅行計画支援サーバ１のコミュニティサーバ領域１ｂにアップロードし，旅行計画支援サーバ１はアップロードされた旅行計画をコミュニティ領域１ｂに記憶し，
　閲覧者会員は，パソコン端末６からポータルサイトにアクセスし，旅行計画支援サーバ１に旅行計画の表示を要求し，
　旅行計画支援サーバ１は，登録済みの自宅ＰＯＩを基準位置として読み込み，自宅ＰＯＩにより旅行計画の自宅を書き換え，書き換えられた自宅を出発地として，そこから目的地までの経路探索を行うことにより，パソコン端末５からアップロードされた元の旅行計画とは別に新たな旅行計画を算出し，このとき集合場所等の経由地が設定されている場合は，その経由地までの経路探索を行い，経由地から目的地までは元の旅行計画と同じにし，パソコン端末６に対して，新たな旅行計画を送信し，
　パソコン端末６は，旅行計画支援サーバ１から送信された旅行計画を表示する，
　旅行計画支援システム。」
（２）甲第２号証
ア　甲第２号証の記載
　甲第２号証には，次のとおり，記載されている。
「【０００１】
【発明の属する技術分野】本発明は，
携帯端末を所有する旅行者に対し，輸送機関や宿泊施設等の旅行情報を提供する旅行情報提供システム
「【００１２】
旅行情報提供サーバ１０は，
各種旅行情報を提供するためのＨＰ（ホームページ）を開設する。このＨＰで旅行情報提供サーバ１０が提供する各種旅行情報とは，旅行会社が提供するツアー旅行情報，旅行者が利用する輸送機関のチケット情報（利用機関名，発車時刻，出発地，目的地，所要時間等），旅行者が利用する宿泊施設のチケット情報（宿泊日，宿泊施設名，住所，最寄り駅等），位置検出サーバ１４によって検出される携帯端末１２の現在位置情報，及び携帯端末１１の現在位置情報に基づいて近隣の店舗や観光施設を紹介する近隣紹介情報等である。
「【００２１】図２は，旅行情報提供サーバ１０の要部構成を示すブロック図である。この図２において，
旅行情報提供サーバ１０は，
記録媒体１０７等を備え
「【００３４】記憶装置１０６は，プログラムやデータ等があらかじめ記憶されている
記録媒体１０７を有しており
「【００３６】図５は，記録媒体１０７に格納される各種ファイルの構成の一例を示した図である。
記録媒体１０７には，
旅行情報ファイル１０７ｂ，サポート情報ファイル１０７ｃ
が格納される。
【００３７】（省略）
【００３８】
旅行情報ファイル１０７ｂには，旅行者が利用する輸送機関及び宿泊施設のチケット情報が
記憶されている。
【００３９】図６に示す図は，旅行情報ファイル１０７ｂに格納される旅行情報の一例を示す図である。この図において，旅行情報は各携帯端末１１毎に，「ツアーコード」，「ユーザコード」，「種別」，「チケット内容」，及び「利用日」といった項目が設定されている。まず，「ツアーコード」には，旅行者が利用するツアー旅行のコード番号「ＳＵＷＡ１２３４」が設定されており，「ユーザコード」には，旅行者の所有する携帯端末１１を特定するためのユーザＩＤ「ＪＰＴＫ０１２３４５６」が設定される。
【００４０】また，「種別」には，旅行者が利用できる輸送機関や宿泊施設の種別が設定され，輸送機関の場合は，さらに
「ＪＲ」及び「バス」等
「チケット内容」には，旅行者が利用できるサービスの詳細な内容が設定されており，「種別」が輸送機関の場合は，利用できるチケットの種類及び利用区間として，「乗車券（新宿→茅野）」，「特急券（新宿→茅野）」，「乗車券（茅野→白樺湖）」等が設定される。「種別」が宿泊施設の場合は，「宿泊券○○ホテル」として，宿泊施設名が設定される。さらに「利用日」には，それぞれのサービスが利用できる日時が，「２０００／１０／１５」として設定される。
【００４１】図５に戻り，
サポート情報ファイル１０７ｃには，後述するサポート情報提供処理（図１１参照）によって生成されるサポート情報が格納される。このサポート情報は，位置検出サーバ１４により検出される携帯端末１１の現在位置情報と，この現在位置情報に基づいて，現在地から次の目的地に移動するための交通手段の情報を提供する。
「【００７９】ここで，
希望するツアー旅行を選択してクリックすると，さらに詳細な申し込み画面（図示せず）が表示され，
携帯端末１１の所有者は
旅行情報提供サーバ１０に送信して申し込みの指示を完了する。
【００８０】次に，
旅行情報提供サーバ１０のＣＰＵ１０１によって実行されるサポート情報提供処理
【００８１】ＣＰＵ１０１は，ステップＳ２０１において，
携帯端末１１から，サポート情報要求の指示が送信されるのを待機する。
【００８２】〜【００８９】（省略）
「【００９０】図８に示す図は，上記
サポート情報提供処理において生成されるサポート情報が，携帯端末１１の表示画面上に示される表示例を示した図である。サポート情報は，現在地から次の目的地へ移動するための交通手段を知らせる情報であり，この図においては，まず，「次の交通手段」として，「ＪＲ中央線新宿駅」が指示されている。
【００９１】そして，「あなたの現在位置」として「東京都新宿区歌舞伎町１丁目２番地」のように，
旅行者が現在いる場所を住所にて知らせ，さらに，「詳細内容」として「スーパーあずさ５号 松本行き １０：００発」のように，列車名及び発車時間等が指示されている。さらに，「次の目的地」として，「茅野駅」が指示され，「所要時間」が「２時間３分」として指示されている。
「【０１３７】ＣＰＵ１０１は，
携帯端末１１からツアー旅行の申し込みの指示が送信される
【０１３８】ＣＰＵ１０１は，ステップＳ３０５において，さらに携帯端末１１から最終目的地が指定されたか否かを確認する。最終目的地が指定されていない場合は，ステップＳ３０３に戻って，指示を待機し，最終目的地が指定された場合は，ステップＳ３０６に移行して，
携帯端末１１から送信された申し込みに必要な情報からユーザＩＤ及びチケット情報を含む旅行情報を生成し，ステップＳ３０７に移行する。
【０１３９】ＣＰＵ１０１は，ステップＳ３０６において生成した旅行情報を携帯端末１１に送信するとともに，このツアー旅行によって利用される輸送機関端末１２及び宿泊施設端末１３にもそれぞれ旅行情報を送信する。そして，ステップＳ３０８に移行して，携帯端末１１から旅行開始の指示が送信されるのを待機する。」
イ　引用発明２
　上記アの記載によれば，甲第２号証には，以下の発明（以下「引用発明２」という。）が記載されていると認められる。
「　携帯端末を所有する旅行者に対し，輸送機関や宿泊施設等の旅行情報を提供する旅行情報提供システムであって（【０００１】），
　旅行情報提供サーバ１０は，記録媒体１０７に，旅行情報ファイル１０７ｂ，サポート情報ファイル１０７ｃを格納し（【００３６】，【００２１】，【００３４】），
　　旅行情報ファイル１０７ｂには，旅行者が利用する輸送機関及び宿泊施設のチケット情報として（【００３８】），「ＪＲ」や「バス」等の輸送機関のチケットの種類，利用区間，及び利用日時と，宿泊施設の宿泊施設名及び利用日時が記憶され（【００４０】），
　　サポート情報ファイル１０７ｃには，サポート情報として，位置検出サーバ１４により検出される携帯端末１１の現在位置情報と，この現在位置情報に基づいて，現在地から次の目的地に移動するための交通手段の情報が格納され（【００４１】），
　旅行情報提供サーバ１０は，携帯端末１１からツアー旅行の申し込みの指示が送信されると，チケット情報を含む旅行情報を生成し（【００７９】，【０１３７】，【０１３８】），
　旅行情報提供サーバ１０は，携帯端末１１から，サポート情報要求の指示が送信されるのを待機し（【００８０】，【００８１】），
　旅行情報提供サーバ１０は，サポート情報提供処理において生成されるサポート情報を，携帯端末１１の表示画面上に示す（【００９０】），
旅行情報提供システム。」
（３）甲第３号証
ア　甲第３号証の記載
　甲第３号証には，次のとおり，記載されている。
「【請求項１】
　通信ネットワークを介して接続されたユーザ端末から送信されたページリクエストに応じて，複数の広告を記憶しているデータベースを参照し，ウェブページ内の所定領域に表示する広告を決定する配信広告決定手段と，
　キーワードを含む広告属性を各広告に関連づけて記憶しているデータベースを参照し，前記配信広告決定手段により決定した広告に関連づけられた前記広告属性を取得する広告属性取得手段と，
　
個人管理情報を各ユーザの識別子に関連づけて記憶しているデータベースを参照し，
該当する個人管理情報を取得する個人管理情報取得手段
　前記配信広告決定手段により決定した広告と前記個人管理情報取得手段により取得された個人管理情報とを紐づけて表示するページデータを生成するページデータ生成手段と，
　前記ページデータ生成手段により生成されたページデータを，前記ユーザ端末に対して送信するページデータ送信手段と，を備えたことを特徴とする情報配信装置。」
「【０００１】
　
本発明は，ウェブ広告の配信に連動して個人管理情報を提供する技術に関する。
「【０００８】
　そこで，本発明の目的とするところは，上記双方の課題を一度に解決すべく，
ユーザが日常的に行うウェブページ閲覧の際に，そのウェブページ内に表示させる広告に連動させてユーザがサーバ上で管理する個人管理情報を提供することで，個人管理情報をユーザが管理する際の利便を向上させつつ，広告効果を高めることにある。
「【００３２】
　なお，より具体的な態様では，
個人管理情報には，ユーザが行動を予定している日時及び場所を含むスケジュール情報と，
住所を含むアドレス情報とが含まれている。
「【００４７】
　アドレス情報ＤＢ１４は，図５に示すように，前述の「ユーザＩＤ」に，アドレス情報を関連づけて記憶している。
アドレス情報は，ユーザの知人の氏名を示す「氏名」，知人のメールアドレスや電話番号を示す「連絡先」，知人の自宅住所や勤務先住所を示す「場所」，知人の生年月日を示す「生年月日」，知人の趣味や嗜好等のプロフィールを示す「プロフィール」といった各種データを含む。
イ　引用発明３
　上記アの記載によれば，甲第３号証には，以下の発明（以下「引用発明３」という。）が記載されていると認められる。
「ウェブ広告の配信に連動して個人管理情報を提供する技術に関する情報配信装置であって（【請求項１】，【０００１】，【０００８】），
　個人管理情報を各ユーザの識別子に関連づけて記憶しているデータベースを参照し，個人管理情報を取得する個人管理情報取得手段を備え（【請求項１】），
　個人管理情報には，ユーザが行動を予定している日時及び場所を含むスケジュール情報と，ユーザの知人や友人の住所を含むアドレス情報とが含まれており（【００３２】），
　アドレス情報は，知人の自宅住所や勤務先住所を示す「場所」，知人の趣味や嗜好等のプロフィールを示す「プロフィール」といった各種データを含む（【００４７】），
　ことを特徴とする情報配信装置（【請求項１】）。」
（４）甲第４号証
ア　甲第４号証の記載
　甲第４号証には，次のとおり，記載されている。
「【技術分野】
【０００１】
　例示的な実施形態は，
旅行計画に関し，個人的な要因に基づいて旅行をランク付けするためのシステム及び方法
「【００３０】
　１．
嗜好情報６６：異なる潜在的な輸送モードの使用及び乗り継ぎ回数に関連したユーザの嗜好。考えられる輸送モードは，例えば，場所において利用可能なモードに応じて，徒歩，（例えば，ユーザの個人車両による）運転，トラム，自転車，電車，飛行機及びボートの一部又は全てを含むことができる。輸送モードは，少なくとも１つの公共交通機関モード（例えば，バス，トラム，又は電車）と，少なくとも１つの個人輸送モード（例えば，自動車，自転車，徒歩）を含むことができる。
【００３１】
　モードの嗜好は，ユーザによって規定（規定された嗜好７２）及び／又はシステムによって推定（推定された嗜好７４）することができる。推定された嗜好７４は，規定された嗜好７２についてユーザから収集されたもの以外の情報単独に基づいて，システムによって計算されることができる。いくつかの実施形態において，規定された嗜好は，数学的又は他の評価法を使用して，例えば，（５が最も好ましく且つ０が最も好ましくない０〜５の評価などの）所定の数値範囲内の数値を使用して，ユーザによって規定されることができる。他の実施形態において，ユーザは，「私はトラムを使用することが好き」又は「私は本当にバスを使用することが好きではない」などのテキストの嗜好を提供することができ，それらは規定された嗜好についての対応する数値評価を特定するようにシステムによって処理される。推定された嗜好７４は，ユーザによって行われる選択を反映し，ユーザの前の行動から導出される。これらは，システムによって計画された前の旅行についてユーザによって選択された輸送モード及び／又は監視装置２４，２６から収集されたデータから推定された追跡経路を含むことができる。それゆえに，規定された及び推定された嗜好は，例えば，０（「絶対にこれを行いたくない」）から５（「これを行うことが非常に好き」）の数値として，同じスケールで表現することができる。規定された及び推定された嗜好値の組み合わせは，候補旅程４６の最も正確なリストを提示するために使用することができる。例えば，ユーザがバスを使用したくないことを宣言している場合には，バスを含む旅程は，可能な選択肢４６のリストから除外することができる。しかしながら，ユーザは，バスを使用することは好きではないかもしれないが，それを使用することをなおも受け入れることができる。それゆえに，バスの選択肢は，候補旅程の中で表示されるが，他の旅程よりも低くランク付けされる可能性が高い。」
「【００６７】
　１つの実施形態において，
各候補旅程について，基準（嗜好及び目的）のそれぞれのランキングの集計としてスコアが計算される。
【００６８】（省略）
【００６９】
　そして，
候補旅程は，例えば，最も高いスコアを有するものが第１位にランク付けされるなど，それらのスコアに基づいてランク付けすることができる。
イ　引用発明４
　上記アの記載によれば，甲第４号証には，以下の発明（以下「引用発明４」という。）が記載されていると認められる。
「旅行計画に関し，個人的な要因に基づいて旅行をランク付けするためのシステムであって（【０００１】），
　各候補旅程について，基準（嗜好及び目的）のそれぞれのランキングの集計としてスコアが計算され（【００６７】），候補旅程は，例えば，最も高いスコアを有するものが第１位にランク付けされるなど，それらのスコアに基づいてランク付けすることができるものであって（【００６９】），嗜好情報は，異なる潜在的な輸送モードの使用及び乗り継ぎ回数に関連したユーザの嗜好であり，，輸送モードは，少なくとも１つの公共交通機関モード（例えば，バス，トラム，又は電車）と，少なくとも１つの個人輸送モード（例えば，自動車，自転車，徒歩）を含む（【００３０】）
　システム。」
５　当審の判断
（１）本件発明５（理由１（新規性）及び理由２（進歩性））について
（ア）対比
　本件発明５と引用発明１とを対比する。
ａ　コンピュータについて
　引用発明１の「ユーザ」，「会員」，「管理者会員」及び「閲覧者会員」（以下，「会員等」と総称する）は，いずれも本件発明５の「ユーザ」に相当する。
　引用発明１の会員等が使用する「パソコン端末５」及び「パソコン端末６」は，いずれも本件発明５の「ユーザの端末装置」に相当する。
　引用発明１の「パソコン端末５」及び「パソコン端末６」と「インターネット回線３を介して接続される，」「事業会社のカーナビゲーションポータルサイトを構成する旅行計画支援サーバ１」は，本件発明５の「ユーザの端末装置と通信可能なコンピュータ」に相当する。
ｂ　記憶手段について
　引用発明１の会員等の「自宅の位置情報を含む自宅ＰＯＩ（Point of interest）」は，「自宅ＰＯＩを基準位置として読み込み，自宅ＰＯＩにより旅行計画の自宅を書き換え，書き換えられた自宅を出発地」とすることで，「目的地までの経路探索」に用いられるものであるから，本件発明５の「ユーザの出発地情報」に相当する。
　引用発明１は，「ユーザは会員登録時に，自宅の位置情報を含む自宅ＰＯＩ（Point of interest）を登録し，旅行計画支援サーバ１に保存」するものであり，旅行計画支援サーバ１は自宅ＰＯＩを記憶する手段を有していることは明かであるから，当該記憶する手段は，本件発明５の「ユーザの出発地情報を記憶する記憶手段」に相当する。
ｃ　取得手段について
ｃ−１　「前記端末装置に表示されるウェブページの旅行に関する広告に対してユーザの操作があった場合に，当該ユーザの出発地情報を前記記憶手段から取得する」について
　引用発明１において，「閲覧者会員」が「パソコン端末６」からアクセスする「ポータルサイト」は，本件発明５の「前記端末装置に表示されるウェブページ」に相当する。
　引用発明１において，「閲覧者会員」が「ポータルサイトにアクセスし」，「旅行計画支援サーバ１に旅行計画の表示を要求」した場合とは，ポータルサイトにアクセスし，旅行計画の表示を求めてポータルサイトに表示される旅行計画へのリンクやボタン（以下，「旅行計画へのリンク等」と総称する）に対して閲覧者会員が所定の操作を行った場合，すなわち，旅行計画へのリンク等に対して閲覧者会員の操作があった場合，であるといえるから，ユーザの操作対象が，引用発明１では「旅行計画へのリンク等」であって，本件発明５の「旅行に関する広告」ではない点で相違するものの（相違点１），引用発明１の「旅行計画へのリンク等」に対して閲覧者会員の操作があった場合は，本件発明５の「旅行に関する広告に対してユーザの操作があった場合」と，「操作対象に対してユーザの操作があった場合」である点で共通する。
　引用発明１において，「旅行計画支援サーバ１は，登録済みの自宅ＰＯＩを基準位置として読み込」むことは，出発地としての閲覧者会員の自宅ＰＯＩを記憶手段から取得していることであるから，本件発明５において「当該ユーザの出発地情報を前記記憶手段から取得する」ことに相当する。
ｃ−２　「当該広告に紐づけられている目的地情報及び経由地情報を，前記記憶手段，前記端末装置又は前記ウェブページを管理するサーバ装置から取得する」について
　引用発明１の「旅行計画」に含まれる「目的地」及び「経由地」は，それぞれ本件発明５の「目的地情報」及び「経由地情報」に相当する。
　引用発明１の「旅行計画」に含まれる「目的地」及び「経由地」は，いずれも，操作対象である「旅行計画へのリンク等」からたどることができる（すなわち，紐付けられている）「目的地」及び「経由地」といえるから，上記相違点１は別として，引用発明５の「当該広告に紐づけられている目的地情報及び経由地情報」と「当該操作対象に紐づけられている目的地情報及び経由地情報」である点で共通する。
　引用発明１において，「旅行計画支援サーバ１は，…，旅行計画の自宅を書き換え，書き換えられた自宅を出発地として，そこから目的地までの経路探索を行うことにより，パソコン端末５からアップロードされた元の旅行計画とは別に新たな旅行計画を算出し，このとき集合場所等の経由地が設定されている場合は，その経由地までの経路探索を行」うことから，旅行計画支援サーバ１は，「旅行計画」を読み込むことで，「新たな旅行計画」の算出の基礎となる「元の旅行計画」に設定されている「目的地」及び「経由地」を取得しているといえる。そして，「元の旅行計画」は「パソコン端末５を用いて，…旅行計画支援サーバ１のコミュニティサーバ領域１ｂにアップロード」されたものであるから，引用発明１において，目的地及び経由地を，旅行計画支援サーバ１の「コミュニティサーバ領域１ｂ」から取得することは，コミュニティサーバ領域１ｂが自宅ＰＯＩを記憶していることは定かではなく，「前記記憶手段」とまではいえない点で相違するものの（相違点２），引用発明５において，目的地情報及び経由地情報を「前記記憶手段」から「取得する」ことと，「目的地情報及び経由地情報記憶手段から取得する」点で共通する。
ｃ−３　取得手段全体について
　以上より，引用発明１に記載の「旅行計画支援サーバ１」は，旅行計画へのリンク等に対して閲覧者会員の操作があった場合に，自宅ＰＯＩを記憶手段から取得するとともに，目的地及び経由地をコミュニティサーバ領域１ｂから取得する手段を有しているといえるから，当該取得する手段は，上記相違点１及び２は別として，本件発明５の「前記端末装置に表示されるウェブページの旅行に関する広告に対してユーザの操作があった場合に，当該ユーザの出発地情報を前記記憶手段から取得するとともに，当該広告に紐づけられている目的地情報及び経由地情報を，前記記憶手段，前記端末装置又は前記ウェブページを管理するサーバ装置から取得する取得手段」と，「前記端末装置に表示されるウェブページの操作対象に対してユーザの操作があった場合に，当該ユーザの出発地情報を前記記憶手段から取得するとともに，当該操作対象に紐づけられている目的地情報及び経由地情報を，目的地情報及び経由地情報記憶手段から取得する取得手段」である点で共通する。
ｄ　検索手段について
　引用発明１において，「旅行計画支援サーバ１」は，「登録済みの自宅ＰＯＩを基準位置として読み込み，自宅ＰＯＩにより旅行計画の自宅を書き換え，書き換えられた自宅を出発地として，そこから目的地までの経路探索を行うことにより，パソコン端末５からアップロードされた元の旅行計画とは別に新たな旅行計画を算出し，このとき集合場所等の経由地が設定されている場合は，その経由地までの経路探索を行い，経由地から目的地までは元の旅行計画と同じに」するものであり，取得した元の旅行計画に含まれる経由地に基づいて，取得した自宅ＰＯＩを基準として書き換えられた出発地から取得した元の旅行計画に含まれる目的地までの経路探索を行うことで新たな旅行計画を算出することから，算出する手段を有していることは明らかであり，当該算出を行う手段は，本件発明５の「前記取得手段が取得した前記経由地情報に基づき，前記取得手段が取得した出発地情報が示す出発地から前記取得手段が取得した目的地情報が示す目的地までの移動経路を検索する検索手段」に相当する。
ｅ　提案手段について
　引用発明１において，「旅行計画支援サーバ１」は，「パソコン端末６に対して，新たな旅行計画を送信」することで，「パソコン端末６は，旅行計画支援サーバ１から送信された旅行計画を表示する」ものであり，経路探索の結果を閲覧者会員のパソコン端末に表示して閲覧者会員の自宅から目的地までの旅行を実現可能な経路を閲覧者会員に提示することによって「提案」しているといえるから，これらの処理を実行する手段は，本願発明５の「前記検索手段の検索結果を前記端末装置に出力して前記旅行を実現可能な移動経路を前記ユーザに提案する提案手段」に相当する。
ｆ　プログラムについて
　引用発明１の「旅行計画支援サーバ１」はプログラムによって機能していることは明かである。そして，当該プログラムは，上記相違点１及び２は別として，コンピュータを上記ｂ〜ｅの各手段として機能させるプログラムである点で，本件発明５の「プログラム」と共通する。
　してみると，本件発明５と引用発明１の一致点及び相違点は，次のとおりである。
＜一致点＞
　ユーザの端末装置と通信可能なコンピュータを，
　ユーザの出発地情報を記憶する記憶手段，
　前記端末装置に表示されるウェブページの操作対象に対してユーザの操作があった場合に，当該ユーザの出発地情報を前記記憶手段から取得するとともに，当該操作対象に紐づけられている目的地情報及び経由地情報を，目的地情報及び経由地情報記憶手段から取得する取得手段，
　前記取得手段が取得した前記経由地情報に基づき，前記取得手段が取得した出発地情報が示す出発地から前記取得手段が取得した目的地情報が示す目的地までの移動経路を検索する検索手段，
　前記検索手段の検索結果を前記端末装置に出力して前記旅行を実現可能な移動経路を前記ユーザに提案する提案手段，
　として機能させるためのプログラム。
＜相違点＞
（相違点１）
　ユーザの「操作対象」が，本件発明５では「旅行に関する広告」であるのに対し，引用発明１では「旅行計画へのリンク等」である点。
（相違点２）
　「ユーザの出発地情報を記憶する記憶手段」及び「目的地情報及び経由地情報記憶手段」が，本件発明５では同一の記憶手段であるのに対し，引用発明１では，ユーザの出発地点情報を記憶する記憶手段が，目的地情報及び経由地情報を記憶しているか定かではなく，同一の記憶手段とまではいえない点。
（イ）当審の判断
ａ　理由１（新規性）について
　本件発明５は，引用発明１と，（ア）に上記した相違点１及び２において相違するから，甲第１号証に記載された発明ではない。
ｂ　理由２（進歩性）について
　上記相違点１について検討する。
　ユーザの「操作対象」を「旅行に関する広告」とすることが本件発明５の出願当時において公知又は周知であることを示す証拠は示されていない。さらに，引用発明１の「旅行計画へのリンク等」は，閲覧者会員がクリック等の所定の操作を行うことで，旅行計画支援サーバ１に旅行計画の表示を要求するための操作対象にすぎないことから，それによって特段のメッセージを閲覧者会員に伝える意図を有したものであることを甲第１号証から読み取ることはできず，引用発明１において，「旅行情報へのリンク等」を「旅行に関する広告」とする動機はない。
　よって，引用発明１に基づき上記相違点１の構成とすることは，当業者が容易になし得たこととはいえない。
　そうすると，上記相違点２について判断するまでもなく，本件発明５は，当業者であっても，引用発明１に基づいて容易に発明をすることができたものではない。
（ウ）異議申立人の主張について
　異議申立人は，特許異議申立書において，「広告」という言葉の意味は広辞苑では，「広く世間一般に告げ知らせること」と示されている。この意味に照らすのであれば，甲第１号証に記載の「旅行計画」は，閲覧者会員に計画を告げ知らせるものであり，「広告」に値すると考えられる。したがって，甲第１号証に記載の「旅行計画」は，本件特許発明５に記載の「広告」に相当し，仮に，甲第１号証に記載の「旅行計画」が「広告」に相当しないとしても，その差異は設計的事項に過ぎない旨主張するので，以下検討する。
ａ　甲第１号証に記載の「旅行計画」が本件発明５の「広告」に相当するとの主張について
　本件発明５は，「前記端末装置に表示されるウェブページの旅行に関する広告に対してユーザの操作があった場合」に，当該ユーザの出発地情報，当該広告に紐づけられている目的地情報及び経由地情報を取得するものである。一方，引用発明１は，「閲覧者会員は，パソコン端末６からポータルサイトにアクセスし，旅行計画支援サーバ１に旅行計画の表示を要求し，…閲覧者会員のパソコン端末６は，旅行計画支援サーバ１から送信された旅行計画を表示する」ものである。すなわち，本件発明５においては，既に表示されている「広告」に対してユーザが操作を行うのに対し，引用発明１においては，閲覧者会員が表示を要求した後に「旅行計画」を表示しており，両者の構成は相違しているから，引用発明１の「旅行計画」が本件発明５の「広告」に相当するとはいえない。
ｂ　第１号証に記載の「旅行計画」と本件発明５の「広告」との差異は設計的事項にすぎないとの主張について。
　引用発明１は，閲覧者会員が表示を要求した後に「旅行計画」を表示するものであるから，閲覧者会員が要求をする前に「旅行計画」を表示させようとすることには動機がなく，当業者が適宜になし得る設計的事項とはいえない。
　上記ａ及びｂより，本件発明５について，異議申立人の上記主張を採用することはできない。
（エ）本件発明５についてのまとめ
　以上によれば，本件発明５は，甲第１号証に記載された発明ではなく，甲第１号証に記載された発明に基づいて，当業者が容易に発明をすることができたものでもない。
（２）本件発明１，８（理由３（進歩性））について
ア　本件発明１について
（ア）対比
　本件発明１と引用発明１とを対比すると，上記（１）（ア）ａないしｆと同様のことがいえるから，両者は，上記（１）（ア）に記載した＜一致点＞と同様な点で一致し，以下の相違点を有する。
（相違点２−１）
　ユーザの「操作対象」が，本件発明１では「旅行に関する広告」であり，引用発明１では「旅行計画へのリンク等」である点。
（相違点２−２）
　「ユーザの出発地情報を記憶する記憶手段」及び「目的地情報記憶手段」が，本件発明１では同一の記憶手段であるのに対し，引用発明１では，ユーザの出発地点情報を記憶する記憶手段が，目的地情報を記憶しているか定かではなく，同一の記憶手段とまではいえない点。
（相違点２−３）
　記憶手段が，本件発明１は，「ユーザの出発地情報」及び「ユーザのスケジュール」を記憶するのに対して，引用発明１では，自宅ＰＯＩを記憶するものの，会員等のスケジュールを記憶することは特定されていない点。
（相違点２−４）
　取得手段が，本件発明１は「当該ユーザの」「スケジュール」を前記記憶手段から取得するのに対し，引用発明１は閲覧者会員のスケジュールを記憶手段から取得することは特定されていない点。
（相違点２−５）
　検索手段が，本件発明１は「前記取得手段が取得したスケジュールに基づき，出発日時を決定し，決定した出発日時に基づき」，移動経路を検索するのに対し，引用発明１は閲覧者会員のスケジュールに基づいて出発日時を決定しておらず，当該出発日時に基づいた経路探索を行うものでもない点。
（イ）当審の判断
　事案に鑑み，上記の相違点２−１及び相違点２−５について検討する。
　上記相違点２−１については，引用発明２及び３を参酌しても，操作対象を「旅行に関する広告」とするものではない。また，（１）（イ）ｂで検討したとおり，引用発明１において，「旅行情報へのリンク等」を「旅行に関する広告」とする動機はない。よって，引用発明１において，当該相違点に係る構成を採用することは当業者が容易に想到することができたものではない。
　上記相違点２−５については，「取得手段が取得したスケジュールに基づき，出発日時を決定し，決定した出発日時に基づき」，移動経路を検索することが，本件発明１の出願当時において公知または周知であったことを示す証拠は示されていない。また，引用発明１は「カーナビゲーション」での利用，すなわち自家用車による移動のための経路探索に用いられるものであり，交通機関の時刻表等を考慮する必要がないから，経路探索にあたって出発日時を決める必要性が無い。なお，引用発明１の管理者会員が作成した「旅行計画」にはタイムスケジュールが併記されていることから，集合場所等の経由地が設定されている場合は集合時間に間に合うように出発時刻が設定される必要があるとしても，当該「タイムスケジュール」は閲覧者会員の「スケジュール」ではなく，甲第１号証には，閲覧者会員の「スケジュール」に基づいて出発日時を決定する動機付けとなる記載はない。
　この点，引用発明２の旅行情報提供サーバ１０は，旅行者の携帯端末１１からサポート情報の要求が送信されると，携帯端末１１の現在位置情報と，この現在位置情報に基づいて，現在地から次の目的地に移動するための交通手段の情報を携帯端末１１に送信するものであるが，基準となる時点は旅行者の携帯端末１１からサポート情報の要求が送信された時点と考えるのが自然であり，旅行者のスケジュールに基づいて出発日時を決定するものではない。また，引用発明３の情報配信装置は，ユーザのスケジュール及びユーザの知人や友人の住所をデータベースから取得するものであるが，当該スケジュールに基づいて出発日時を決定し，移動経路を検索するものではない。
　また，引用発明１は「管理者会員が作成した旅行計画を他の会員が閲覧する際に，会員各人に応じた旅行計画を提示することができないという問題」（甲第１号証【０００５】）を解決するための「旅行計画支援システム」であって，「旅行計画支援システムで会員同士が最終的に同意した旅行計画は，メモリ手段を介して各会員のカーナビゲーション装置や携帯端末へ移行され，旅行計画が実行される」（甲第１号証【００２３】）ものである。すなわち，引用発明１の旅行計画支援システムは旅行計画の作成支援を目的としており，現在位置に基づいたナビゲーション等の作成後の旅行計画の実行は各会員のカーナビゲーション装置等が適宜に実施するものであるから，旅行情報提供サーバ１０が，旅行者の現在地から次の目的地に移動するための交通手段の情報を含むサポート情報を送信する引用発明２の技術を引用発明１に適用する動機はなく，ウェブ広告の配信に連動して個人管理情報を提供する技術に関する引用発明３の技術を適用する動機もない。
　以上より，引用発明２及び３を参酌しても，本件発明１において，当該相違点２−５に係る構成を採用することは，当業者が容易に想到することができたものではない。
　以上によれば，上記相違点２−２ないし２−４について判断するまでもなく，本件発明１は，引用発明１ないし３に基づいて，当業者が容易に発明をすることができたものではない。
イ　本件発明８について
　本件発明８は本件発明１に対応する「情報処理装置」の発明であって，引用発明１と対比した場合，上記（ア）に対応する一致点及び相違点を有し，それら相違点の判断は上記（イ）と同様であるから，本件発明８は，引用発明１ないし３に基づいて，当業者が容易に発明をすることができたものではない。
（３）本件発明３（理由４（進歩性））について
（ア）対比
　本件発明３と引用発明１とを対比すると，上記（１）（ア）ａないしｆと同様なことがいえるから，両者は，上記（１）（ア）に記載した＜一致点＞と同様な点で一致し，以下の相違点を有する。
（相違点３−１）
　ユーザの「操作対象」が，本件発明１では「旅行に関する広告」であり，引用発明３では「旅行計画へのリンク等」である点。
（相違点３−２）
　「ユーザの出発地情報を記憶する記憶手段」及び「目的地情報記憶手段」が，本件発明３では同一の記憶手段であるのに対し，引用発明１では，ユーザの出発地点情報を記憶する記憶手段が，目的地情報を記憶しているか定かではなく，同一の記憶手段とまではいえない点。
（相違点３−３）
　記憶手段が，本件発明３は，「ユーザの出発地情報」及び「交通に関するユーザの嗜好情報」を記憶するのに対して，引用発明１では，自宅ＰＯＩを記憶するものの，交通に関する会員等の嗜好情報を記憶することは特定されていない点。
（相違点３−４）
　取得手段が，本件発明３は「当該ユーザの」「嗜好情報」を前記記憶手段から取得するのに対し，引用発明１は閲覧者会員の嗜好情報を記憶手段から取得することは特定されていない点。
（相違点３−５）
　提案手段が，本件発明３は「前記検索手段の検索結果が複数の場合，前記取得手段が取得した嗜好情報に基づき，前記複数の検索結果の中から検索結果を抽出し，抽出した検索結果を」前記端末装置に出力する，移動経路を検索するのに対し，引用発明１は検索結果が複数の場合の処理について特定していない点。
（イ）当審の判断
　事案に鑑み，上記の相違点３−１，相違点３−３ないし相違点３−５について検討する。
　上記相違点３−１については，引用発明２ないし４を参酌しても，操作対象を「旅行に関する広告」とするものではない。また，（１）（イ）ｂで検討したとおり，引用発明１において，「旅行情報へのリンク等」を「旅行に関する広告」とすることは動機がない。よって，引用発明１において，当該相違点に係る構成を採用することは当業者が容易に想到することができたものではない。
　上記相違点３−３ないし３−５については，引用発明２は「交通に関するユーザの嗜好」についてなんら特定していない。また，引用発明３の「嗜好」が「交通に関する嗜好」であることは甲第３号証になんら特定されていないから，引用発明２及び３は上記相違点３−１ないし３−３に係る構成を有していない。また，引用発明４は，旅行計画に関して，「異なる潜在的な輸送モードの使用及び乗り継ぎ回数に関連したユーザの嗜好」を基準として候補旅程をランキングするものであるが，「嗜好情報は，異なる潜在的な輸送モードの使用及び乗り継ぎ回数に関連したユーザの嗜好であり，輸送モードは，少なくとも１つの公共交通機関モード（例えば，バス，トラム，又は電車）と，少なくとも１つの個人輸送モード（例えば，自動車，自転車，徒歩）を含む」ものであり，潜在的に利用可能な異なる輸送モード（徒歩，運転，トラム，…）のうちから１以上のどの交通手段を利用するか，及びその乗り継ぎ回数に関するユーザの嗜好であるから，専ら自家用車による移動のための経路探索に用いられる引用発明１に，引用発明４を適用することには阻害要因がある。
　以上より，引用発明２ないし４を参酌しても，本件発明１において，当該相違点３−３ないし３−５に係る構成を採用することは，当業者が容易に想到することができたものではない。
　以上によれば，上記相違点３−２について判断するまでもなく，本件発明３は，引用発明１ないし４に基づいて，当業者が容易に発明をすることができたものではない。
（４）本件発明６（理由５（進歩性））について
（ア）対比
　本件発明６と引用発明１とを対比すると，上記（１）（ア）ａないしｆと同様なことがいえるから，両者は，上記（１）（ア）に記載した＜一致点＞と同様な点で一致し，以下の相違点を有する。
（相違点４−１）
　ユーザの「操作対象」が，本件発明６では「旅行に関する広告」であり，引用発明１では「旅行計画へのリンク等」である点。
（相違点４−２）
　「ユーザの出発地情報を記憶する記憶手段」及び「目的地情報記憶手段」が，本件発明６では同一の記憶手段であるのに対し，引用発明１では，ユーザの出発地点情報を記憶する記憶手段が，目的地情報を記憶しているか定かではなく，同一の記憶手段とまではいえない点。
（相違点４−３）
　本件発明１は「前記提案に対して前記ユーザからの承認が得られた場合，承認が得られた移動経路の料金を含む旅行代金を決済する決済手段」を含むのに対し，引用発明１は当該手段を備えていない点。
（相違点４−４）
　本件発明１は「前記決済手段の決済が完了した場合，前記承認が得られた移動経路をユーザの移動スケジュールとして前記記憶手段に記憶するスケジュール追加手段」を含むのに対し，引用発明１は当該手段を備えていない点。
（イ）当審の判断
　事案に鑑み，上記の相違点４−１，相違点４−３及び４−４について検討する。
　上記相違点４−１については，引用発明２を参酌しても，操作対象を「旅行に関する広告」とするものではない。また，（１）（イ）ｂで検討したとおり，引用発明１において，「旅行情報へのリンク等」を「旅行に関する広告」とする動機はない。よって，引用発明１において，当該相違点に係る構成を採用することは当業者が容易に想到することができたものではない。
　上記相違点４−３及び４−４については，引用発明２の旅行情報提供サーバ１０は，携帯端末１１からツアー旅行の申し込みの指示が送信されると，チケット情報を含む旅行情報を生成するものであるが，引用発明２は「決済手段」についての開示がなく，当該手段を有しているとはいえず，「前記決済手段の決済が完了した場合，前記承認が得られた移動経路をユーザの移動スケジュールとして前記記憶手段に記憶するスケジュール追加手段」についても有しているとはいえない。
　このため，引用発明１に引用発明２を組み合わせたとしても，当該相違点４−３及び４−４に係る本件発明６の構成には至らない。
　以上より，引用発明２を参酌しても，本件発明１において，当該相違点４−３及び４−４に係る構成を採用することは，当業者が容易に想到することができたものではない。
　以上によれば，上記相違点４−２について判断するまでもなく，本件発明６は，引用発明１及び２に基づいて，当業者が容易に発明をすることができたものではない。
（５）小括
　以上のとおり，申立理由１ないし５はいずれも理由がない。
６　むすび
　以上によれば，特許異議の申立ての理由及び証拠によっては，請求項１，３，５，６及び８に係る特許を取り消すことはできない。
　また，他に請求項１，３，５，６及び８に係る特許を取り消すべき理由を発見しない。
　よって，結論のとおり決定する。
【異議決定日】
令和２年１２月１６日（２０２０．１２．１６）